(57)【要約】【課題】本発明は、使用に便利なマウスポインタ制御方法を提供する。【解決手段】本発明に係るマウスポインタ制御方法は、コンピュータシステムに接続されるタッチパッド及びマウスポインタを表示するためのディスプレイを備えるコンピュータに適用され、コンピュータシステムが、ディスプレイにおける座標位置とタッチパッドにおける座標位置との間の対応関係を予め格納するステップと、タッチパッドが、二本の指のクリックジェスチャーを同時に感知するステップと、コンピュータシステムが、二本の指のクリックジェスチャーのタッチパッドにおける座標を計算した後、該２つのクリックジェスチャーの座標の間の中間座標を計算するステップと、コンピュータシステムが、中間座標に対応するディスプレイにおける画面座標を確認するステップと、コンピュータシステムが、マウスポインタを画面座標の位置に移動するステップと、を備える。【選択図】図５
2014175012.tif 000002
【特許請求の範囲】
【請求項１】
コンピュータシステムに接続されるタッチパッド及びマウスポインタを表示するためのディスプレイを備えるコンピュータに適用されるマウスポインタ制御方法であって、
前記コンピュータシステムが、前記ディスプレイにおける座標位置と前記タッチパッドにおける座標位置との間の対応関係を予め格納するステップと、
前記タッチパッドが、二本の指のクリックジェスチャーを同時に感知するステップと、
前記コンピュータシステムが、二本の指のクリックジェスチャーの前記タッチパッドにおける座標を計算した後、該２つのクリックジェスチャーの座標の間の中間座標を計算するステップと、
前記コンピュータシステムが、前記中間座標に対応する前記ディスプレイにおける画面座標を確認するステップと、
前記コンピュータシステムが、マウスポインタを前記画面座標の位置に移動するステップと、
を備えることを特徴とするマウスポインタ制御方法。
【発明の詳細な説明】
【技術分野】
【０００１】
本発明は、マウスポインタ制御方法に関するものである。
【背景技術】
【０００２】
従来のノート型パソコンにおいて、タッチパッド（Ｔｏｕｃｈｐａｄ）は、マウスに替わって、データの入力などに使用されおり、ユーザは、このタッチパッドを操作することにより、表示画面に表示されるマウスポインタを移動することができる。しかし、従来のマウスポインタの移動は、タッチパッドで指を移動する必要があるため、使用するのに不便である。
【発明の概要】
【発明が解決しようとする課題】
【０００３】
前記課題を解決するために、本発明は、使用に便利なマウスポインタ制御方法を提供する。
【課題を解決するための手段】
【０００４】
本発明に係るマウスポインタ制御方法は、コンピュータシステムに接続されるタッチパッド及びマウスポインタを表示するためのディスプレイを備えるコンピュータに適用され、前記コンピュータシステムが、前記ディスプレイにおける座標位置と前記タッチパッドにおける座標位置との間の対応関係を予め格納するステップと、前記タッチパッドが、二本の指のクリックジェスチャーを同時に感知するステップと、前記コンピュータシステムが、二本の指のクリックジェスチャーの前記タッチパッドにおける座標を計算した後、該２つのクリックジェスチャーの座標の間の中間座標を計算するステップと、前記コンピュータシステムが、前記中間座標に対応する前記ディスプレイにおける画面座標を確認するステップと、前記コンピュータシステムが、マウスポインタを前記画面座標の位置に移動するステップと、を備える。
【発明の効果】
【０００５】
従来の技術と比べて、本発明のマウスポインタ制御方法は、コンピュータシステムが、タッチパッドに同時に入力された２つのクリックジェスチャーに基づいて、２つのクリックジェスチャーのタッチパッドに位置する座標の間の中間座標を計算することにより、マウスポインタを中間座標に対応する画面座標の位置に移動することができるため、使用するのに便利である。
【図面の簡単な説明】
【０００６】
【図１】本発明の実施形態に係るマウスポインタ制御方法を実行するコンピュータのブロック図である。
【図２】図１に示したコンピュータの斜視図である。
【図３】図２に示したコンピュータを使用する過程を示す図である。
【図４】図２に示したコンピュータを使用する過程を示す図である。
【図５】本発明の実施形態に係るマウスポインタ制御方法のフローチャートである。
【発明を実施するための形態】
【０００７】
以下、図面を参照して、本発明の実施形態について説明する。
【０００８】
図１を参照すると、本発明の実施形態に係るマウスポインタ制御方法を実行するコンピュータは、コンピュータシステム１０、タッチパッド３０及びディスプレイ５０を備える。コンピュータシステム１０は、タッチパッド３０及びディスプレイ５０に接続される。また、コンピュータシステム１０は、中央処理装置（ＣＰＵ）１１、記憶装置１３及び入出力インターフェース１５を備える。コンピュータシステム１０は、オペレーティングシステムによってディスプレイ５０に表示されるマウスポインタの、クリック、移動、ドラッグ、スクロール等の動作を実行する。
【０００９】
図２を参照すると、前記コンピュータは、ノート型パソコンである。タッチパッド３０は、ほぼ矩形を呈する。ディスプレイ５０の幅とタッチパッド３０の幅との比は正の整数であり、ディスプレイ５０の長さとタッチパッド３０の長さとの比も正の整数である。本実施形態において、タッチパッド３０の幅は、ディスプレイ５０の幅の半分であり、タッチパッド３０の長さは、ディスプレイ５０の長さに等しい。
【００１０】
図３を参照すると、コンピュータシステム１０は、ディスプレイ５０における座標位置とタッチパッド３０における座標位置との間の対応関係をあらかじめ格納する。使用の際、ユーザが二本の指でタッチパッド３０を同時にクリックすると、タッチパッド３０は、二本の指のクリックジェスチャーを同時に感知し、コンピュータシステム１０は、先ず、２つのクリックジェスチャーのタッチパッド３０における座標を計算した後、前記２つのクリックジェスチャーの座標の間の中間座標を計算する。次に、前記中間座標に基づいて該中間座標に対応するディスプレイ５０における画面座標を確認して、マウスポインタを前記画面座標の位置に移動させる。本実施形態において、中間座標は、コンピュータシステム１０が計算した２つのクリックジェスチャーの座標の間の中間点である。
【００１１】
図４を参照すると、ユーザが二本の指でタッチパッド３０の別の位置を同時にクリックすると、タッチパッド３０は、二本の指のクリックジェスチャーを感知し、コンピュータシステム１０は計算した後、マウスポインタを対応する画面座標の位置に移動させる。
【００１２】
図５を参照すると、本発明の実施形態に係るマウスポインタ制御方法は、以下のステップＳ２０１〜ステップＳ２０５を備える。
【００１３】
ステップＳ２０１において、コンピュータを起動する。
【００１４】
ステップＳ２０２において、タッチパッド３０は、二本の指のクリックジェスチャーを同時に感知する。
【００１５】
ステップＳ２０３において、コンピュータシステム１０は、二本の指のクリックジェスチャーのタッチパッド３０における座標を計算した後、該２つのクリックジェスチャーの座標の間の中間座標を計算する。
【００１６】
ステップＳ２０４において、コンピュータシステム１０は、前記中間座標に基づいて、該中間座標に対応するディスプレイ５０における画面座標を確認する。
【００１７】
ステップＳ２０５において、コンピュータシステム１０は、マウスポインタを前記画面座標の位置に移動する。
【符号の説明】
【００１８】
１０  コンピュータシステム
１１  中央処理装置
１３  記憶装置
１５  入出力インターフェース
３０  タッチパッド
５０  ディスプレイ
【図１】
2014175012.tif 000003
【図２】
2014175012.tif 000004
【図３】
2014175012.tif 000005
【図４】
2014175012.tif 000006
【図５】
2014175012.tif 000007